(57)【要約】【課題】簡易な方式で、相手と通話している状態における利用者の利用状態を把握し、タッチパネル等の入力手段からの入力の誤動作等を確実に防止できる携帯端末機器を提供する。【解決手段】ＣＰＵは、環境音取得用マイクにて取得された環境音に従う音声信号と、通話用マイクにて取得された通話音に従う音声信号との入力値を算出する（ステップＳ４）。ＣＰＵは、算出結果に基づいて環境音と通話音との音声信号の入力値の差が所定の閾値以上であるかどうかを判断する（ステップＳ５）。算出結果に基づいて環境音と通話音との音声信号の入力値の差が所定の閾値以上であると判断された場合には、利用者は携帯端末機器の通話用スピーカに近接して利用している可能性が高いと判断されるため、ＣＰＵは、タッチパネルの認識率を変更する（ステップＳ６）。【選択図】図３
2008141688.tif 000002
【特許請求の範囲】
【請求項１】
通話機能を有する携帯端末機器であって、
タッチパネルを使用した入力部と、
音声が入力されて音声信号に変換する音声入力部と、
赤外線を発光する赤外線発光部と、
前記赤外線発光部から発光した前記赤外線の反射光を受光する赤外線受光部とを備え、
前記音声入力部は、
通話中の利用者の音声が入力される第１のマイクと、
周囲の環境音が入力される第２のマイクとを含み、
前記第１および第２のマイクからの音声信号の入力値に基づいて前記入力部における前記タッチパネルの認識率を調整する制御部をさらに備え、
前記制御部は、前記第１のマイクと前記第２のマイクとの音声信号の入力値の差が所定の閾値以上である場合に、前記赤外線受光部にて前記赤外線の反射光を受光できた場合に前記入力部における前記タッチパネルの認識率を調整し、前記タッチパネルを無効化し、  前記第２のマイクは、ノイズキャンセル用のマイクに相当する、携帯端末機器。
【請求項２】
通話機能を有する携帯端末機器であって、
タッチパネルを使用した入力部と、
音声が入力されて音声信号に変換する音声入力部とを備え、
前記音声入力部は、
通話中の利用者の音声が入力される第１のマイクと、
周囲の環境音が入力される第２のマイクとを含み、
前記第１および第２のマイクからの音声信号の入力値に基づいて前記入力部における前記タッチパネルの認識率を調整する制御部をさらに備える、携帯端末機器。
【請求項３】
前記第２のマイクは、ノイズキャンセル用のマイクに相当する、請求項２記載の携帯端末機器。
【請求項４】
前記制御部は、前記第１のマイクと前記第２のマイクとの音声信号の入力値の差が所定の閾値以上である場合には、前記タッチパネルの認識率を調整する、請求項２記載の携帯端末機器。
【請求項５】
前記制御部は、前記第１および第２のマイクからの音声信号入力値に基づいて前記入力部における前記タッチパネルを無効化する、請求項２記載の携帯端末機器。
【請求項６】
前記制御部は、所定の期間内において、前記第１のマイクと前記第２のマイクとの音声信号の入力値の差が所定の閾値以上であると判断される回数に基づいて前記タッチパネルの認識率を調整する、請求項２記載の携帯端末機器。
【請求項７】
赤外線を発光する赤外線発光部と、
前記赤外線発光部から発光した前記赤外線の反射光を受光する赤外線受光部とをさらに備え、
前記制御部は、前記第１のマイクと前記第２のマイクとの音声信号の入力値の差が所定の閾値以上である場合に、前記赤外線受光部にて前記赤外線の反射光を受光できた場合に前記入力部における前記タッチパネルの認識率を調整する、請求項２に記載の携帯端末機器。
【発明の詳細な説明】
【技術分野】
【０００１】
本発明は、通話機能を有する携帯端末機器に関し、特に通話中にタッチパネルの誤押しによる誤動作を防止する機能を備えた携帯端末機器に関する。
【背景技術】
【０００２】
たとえば、携帯電話あるいはＰＤＡ（Ｐｅｒｓｏｎａｌ Ｄｉｇｉｔａｌ Ａｓｓｉｓｔａｎｔ）等に代表される携帯端末機器においては、相手との通話による通信機能とは別に、たとえばメール、インターネットブラウザ等の通信機能を備えることが一般的になっており、また、表示の見易さ等のため表示部である液晶画面が大型化する傾向にある。
【０００３】
また、携帯端末機器の利便性を向上させる点で、赤外線の反射センサを備えた携帯端末機器も存在する。この赤外線の反射センサを用いて利用者と携帯端末機器との距離を検出して、検出結果に基づいて利用状態を把握し、通話の際にいわゆるハンズフリーモードに設定したり、あるいは、集音感度を調整したり、あるいは、表示部の液晶画面のバックライトのオン・オフを切り替えたりすることが可能な携帯端末機器も存在する（特許文献１〜３）。
【０００４】
一方で、多くの機能、たとえば個人のスケジュール等を管理する機能、内蔵した辞書やマニュアルによりいつでも検索できる機能等々を内蔵する携帯端末機器にあっては、操作性改善のため、入力手段としていわゆる釦操作とは別にタッチパネルを備えた携帯端末機器が利用されている。
【０００５】
当該、タッチパネルを供えた携帯端末機器においては、通話時等に、利用者の意図しないボタン入力で誤動作しないような仕組みも考えられている。
【０００６】
たとえば、通話中に携帯端末機器として各種の機能を使用する場合、たとえば、登録してある電話番号等を呼び出し表示させて、これを確認した上で相手に知らせる時などには、携帯端末機器を頭部（耳）から離して、タッチパネル等の入力手段を用いた入力操作が行なわれる。このように、携帯端末機器では、通話中でもタッチパネルからの入力を行なう場合があるので、通話中もタッチパネルからの入力を有効とするように設定するのが一般的である。
【０００７】
しかしながら、利用者が話をする時には受話部に耳を接触または近づけるため、耳たぶや顔の一部あるいはピアスやイヤリングが、携帯端末機器の前面に設けられている大きなタッチパネルに接触して、これによりタッチパネルから入力操作がなされたとみなされ、通話中に予期しない携帯端末機器が働き、通話動作に意図しない動作を開始したり、時によってはデータを誤って削除するなどの誤動作を起こすおそれがあるという問題がある。  
【０００８】
さらには、誤動作による消費電力の増加を招く恐れもある。
このような問題を解決する技術として、通話中に耳たぶや顔の一部が携帯端末機器に接触または近づいたことをカメラにより検出し、接触または近づいたと判断される場合には、タッチパネルからの入力を無効にするようにした技術が知られている（特許文献４）。
【特許文献１】特開２００６−０９４４８５号公報
【特許文献２】特開２００１−３５２３９５号公報
【特許文献３】特開２００６−０２５４０２号公報
【特許文献４】特開２００４−１５９０２８号公報
【発明の開示】
【発明が解決しようとする課題】
【０００９】
しかしながら、上記した特許文献４に示される技術では、利用者が耳に携帯電話機能のある機器を接触または近づけて相手と話している状態であるか否かを検出するために、カメラを用いた画像処理により距離を検出して判断する必要があるためその制御が複雑化するという問題がある。
【００１０】
また、カメラを用いた検出の場合には、カメラの配置が重要となってくるため携帯端末機器における外表面配置に制約が課されることにもなる。
【００１１】
本発明は上記の点に鑑みてなされたものであって、簡易な方式で、相手と通話している状態における利用者の利用状態を把握し、タッチパネル等の入力手段からの入力の誤動作等を確実に防止できる携帯端末機器を提供することを目的とする。
【課題を解決するための手段】
【００１２】
本発明に係る携帯端末機器は、通話機能を有する携帯端末機器であって、タッチパネルを使用した入力部と、音声が入力されて音声信号に変換する音声入力部と、赤外線を発光する赤外線発光部と、赤外線発光部から発光した赤外線の反射光を受光する赤外線受光部とを備える。音声入力部は、通話中の利用者の音声が入力される第１のマイクと、周囲の環境音が入力される第２のマイクとを含む。第１および第２のマイクからの音声信号の入力値に基づいて入力部におけるタッチパネルの認識率を調整する制御部をさらに備える。制御部は、第１のマイクと第２のマイクとの音声信号の入力値の差が所定の閾値以上である場合に、赤外線受光部にて赤外線の反射光を受光できた場合に入力部におけるタッチパネルの認識率を調整し、タッチパネルを無効化する。第２のマイクは、ノイズキャンセル用のマイクに相当する。
【００１３】
本発明に係る別の携帯端末機器は、通話機能を有する携帯端末機器であって、タッチパネルを使用した入力部と、音声が入力されて音声信号に変換する音声入力部とを備える。音声入力部は、通話中の利用者の音声が入力される第１のマイクと、周囲の環境音が入力される第２のマイクとを含む。第１および第２のマイクからの音声信号の入力値に基づいて入力部におけるタッチパネルの認識率を調整する制御部をさらに備える。
【００１４】
好ましくは、第２のマイクは、ノイズキャンセル用のマイクに相当する。
好ましくは、制御部は、第１のマイクと第２のマイクとの音声信号の入力値の差が所定の閾値以上である場合には、タッチパネルの認識率を調整する。
【００１５】
好ましくは、制御部は、第１および第２のマイクからの音声信号入力値に基づいて入力部におけるタッチパネルを無効化する。
【００１６】
好ましくは、制御部は、所定の期間内において、第１のマイクと第２のマイクとの音声信号の入力値の差が所定の閾値以上であると判断される回数に基づいてタッチパネルの認識率を調整する。
【００１７】
好ましくは、赤外線を発光する赤外線発光部と、赤外線発光部から発光した赤外線の反射光を受光する赤外線受光部とをさらに備える。制御部は、第１のマイクと第２のマイクとの音声信号の入力値の差が所定の閾値以上である場合に、赤外線受光部にて赤外線の反射光を受光できた場合に入力部におけるタッチパネルの認識率を調整する。
【発明の効果】
【００１８】
本発明に係る携帯端末機器は、通話中の利用者の音声が入力される第１のマイクと、周囲の環境音が入力される第２のマイクからの音声信号の入力値に基づいて入力部におけるタッチパネルの認識率を調整するため、簡易に、相手と通話している状態における利用者の利用状態を把握し、タッチパネルの誤動作を防止することができる。
【発明を実施するための最良の形態】
【００１９】
以下、本発明の実施の形態について図面を参照しながら詳細に説明する。なお、図中同一または相当部分には同一符号を付し、その説明は繰返さない。
【００２０】
（実施の形態１）
図１は、本発明の実施の形態１に従う携帯端末機器１の外観構成図である。
【００２１】
図１（ａ）を参照して、ここでは、携帯端末機器１のおもて側の構成が示されている。
具体的には、携帯端末機器１の筐体１０のおもて面に対して通話用スピーカ１１と、タッチパネル２０と、通話用マイク１５と、操作キーの一例として、発信釦１６と通話切断釦１７とが設けられている場合が示されている。なお、ここでは、２つの釦のみ示しているが特にこれに限られず、ダイヤルキー等の操作キーを配置することも可能である。
【００２２】
通話用スピーカ１１は、相手との通話時において、携帯端末機器１の利用者の相手側から送信された音声信号を出力する。
【００２３】
タッチパネル２０は、指や専用のペンで画面に触れることにより、触れた位置を検知して画面上の位置を指定し、機器に含まれている種々の機能を選択する際の入力手段として用いられる技術であるが、一般的な技術であるので詳細な説明についてはここでは省略する。
【００２４】
通話用マイク１５は、相手との通話時において、携帯端末機器１の利用者の音声を相手側に送信するために音声信号として受信するものである。
【００２５】
発信釦１６は、相手との通話を開始する際において、利用者が相手側の電話番号等の情報を発信するための釦である。また、相手との通話を開始する際の通話開始釦としても用いられる。この発信釦１６が押下された場合に通話状態と判断されるものとする。
【００２６】
通話切断釦１７は、相手との通話を終了するための釦であり、当該釦を押下することにより通信が切断されるものとする。
【００２７】
図１（ｂ）を参照して、ここでは、携帯端末機器１のうら側の構成が示されている。
具体的には、携帯端末機１の筐体１０の裏面に対して環境音取得用マイク２５が設けられている場合が示されている。
【００２８】
環境音取得用マイク２５は、いわゆるノイズキャンセラとして用いられ、利用者の通話音とは別の周囲の環境音を受信することにより、利用者の音声とともに通話用マイク１５に入力される周囲の環境音を打ち消してノイズの少ない利用者の音声信号を送信するために設けられている。なお、利用者の通話音も環境音取得用マイク２５で取得されるがマイクの集音指向性によりそのレベルは低いものとする。
【００２９】
図２は、本発明の実施の形態１に従う携帯端末機器１の概略ブロック構成図である。
図２を参照して、本発明の実施の形態１に従う携帯端末機器１は、携帯端末機器１全体を制御するＣＰＵ１００と、タッチパネルあるいは操作キーの入力指示を受ける入力部１０５と、文字、記号、図形等を表示する表示部１１０と、音声を出力するためのスピーカ１１５と、携帯端末機器１の各種機能を実行するためのプログラムやデータ情報を記憶するメモリ１２０と、音声入力部１３５と、電話局等を介して通信するための通信部１４０と、電話局等からの電波を受信するためのアンテナ１４１とが設けられている。
【００３０】
スピーカ１１５には、通話用スピーカ１１が含まれる。なお、表示部１１０は、タッチパネル２０で用いられる液晶画面等を含むものとする。さらに音声入力部１３５は、通話用マイク１５と、環境音取得用マイク２５とを含む。
【００３１】
以下、本発明の実施の形態１においては、相手と通話している状態における利用者の利用状態を把握し、タッチパネル等の入力手段の誤動作等を防止する方式について説明する。
【００３２】
図３は、本発明の実施の形態１に従う通話時における、タッチパネルの認識率を調整するフロー図である。
【００３３】
図３を参照して、まず、ＣＰＵ１００は、入力部１０５からの入力を受けて（ステップＳ０）、通話状態であるかどうかを判断する（ステップＳ１）。具体的には、上述した発信釦１６が利用者によって押下されたかどうかを判断する。
【００３４】
そして、ＣＰＵ１００は、通話状態と判断された場合には、次に環境音の取得を開始するように指示する（ステップＳ２）。具体的には、上述した環境音取得用マイク２５を用いて環境音を取得する。
【００３５】
そして、次に、ＣＰＵ１００は、通話音の取得を開始するように指示する（ステップＳ３）。具体的には、上述した通話用マイク１５を用いて利用者の通話音を取得する。
【００３６】
そして、次に、ＣＰＵ１００は、環境音取得用マイク２５にて取得された環境音に従う音声信号と、通話用マイク１５にて取得された通話音に従う音声信号との入力値を算出する（ステップＳ４）。
【００３７】
次に、ＣＰＵ１００は、算出結果に基づいて環境音と通話音との音声信号の入力値の差が所定の閾値以上であるかどうかを判断する（ステップＳ５）。
【００３８】
この点で、利用者が通話する際に、通話用スピーカ１１および通話用マイク１５に耳および口をそれぞれ接触または近づけて利用する場合には、通話用マイク１５により環境音よりも比較的大きな音声信号である通話音が取得される。一方、利用者が通話する際に、通話用スピーカ１１および通話用マイク１５と頭部（耳）および口をそれぞれ少し距離を離して利用する場合、たとえば、携帯端末機器のキー操作状態あるいは、いわゆるハンズフリー等の状態の場合には、環境音の音声信号と同レベルあるいはやや大きな通話音が取得されることになる。
【００３９】
図４は、キー操作中と耳に当てて通話中のときにおけるマイクに入力される入力値の差を説明する図である。
【００４０】
図４に示されるように、キー操作中あるいはハンズフリー中においては、携帯端末機器の通話用マイク１５と利用者の口が少し距離が離れた状態にあると考えられるため通話用マイクには主に環境音が入力される。なお、ここでは、「主に環境音」として標記しているが、携帯端末機器と距離が離れた状態であるため通話用マイク１５に入力される音声の入力値（レベル）としては、環境音の音声信号と同レベルあるいはやや大きな通話音が取得されるためかかる標記としている。また、環境音取得用マイク２５には、環境音が取得される。したがって、通話用マイクの入力値と、環境音取得用マイクの入力値との間の差は小さい。
【００４１】
一方、耳に当てて通話する場合には、携帯端末機器の通話用マイク１５と利用者の口が接触あるいは近接した状態にあると考えられるため通話用マイクには利用者の音声（通話音）と環境音とが入力される。また、環境音取得用マイク２５には、環境音が取得される。したがって、通話用マイクの入力値と、環境音取得用マイクの入力値との間の差は大きい。
【００４２】
再び図３を参照して、ステップＳ５において、算出結果に基づいて環境音と通話音との音声信号の入力値の差が所定の閾値以上であると判断された場合には、利用者は携帯端末機器１の通話用スピーカに近接して利用している可能性が高いと判断されるため、ＣＰＵ１００は、タッチパネルの認識率を変更する（ステップＳ６）。具体的には、タッチパネルの認識率を低下させるあるいはタッチパネルの認識率を０にして無効にすることが可能である。なお、タッチパネルの認識率の変更に関しては、ＣＰＵ１００の指示により入力部１０５に含まれる図示しないタッチパネルの認識率を調整するタッチパネル認識率調整部により調整されるものとする。
【００４３】
そして、通話状態が切断されたかどうかを判断し（ステップＳ７）、通話状態が切断されるまでステップＳ２〜Ｓ６の処理を繰り返すものとする。
【００４４】
一方、ステップＳ５において、算出結果に基づいて環境音と通話音との音声信号の入力値の差が所定の閾値未満であると判断された場合には、利用者は携帯端末機器１の通話用スピーカと距離を離して利用している可能性が高いと判断されるためＣＰＵ１００は、タッチパネルの認識率を初期化する（ステップＳ１０）。すなわち、タッチパネルの認識率を初期状態に戻す。
【００４５】
そして、ステップＳ７に進み、通話状態が切断されるまでステップＳ２〜Ｓ６の処理を繰り返すものとする。したがって、定常的に利用者の利用状態を判断して認識率を調整する。
【００４６】
なお、通話状態が切断された場合には、ステップＳ８に進み、タッチパネルの認識率を初期状態に戻す。そして、待ち受け状態に設定される（ステップＳ９）。
【００４７】
当該方式により、環境音と通話音との音声信号の入力値の差が所定の閾値以上すなわち、利用者が携帯端末機器１の通話用スピーカに近接して利用していると判断された場合には、ＣＰＵ１００によりタッチパネルの認識率が変更される。具体的には、タッチパネルの認識率を低下させるあるいはタッチパネルの認識率を０にして無効にすることにより、利用者が通話状態の際において、耳たぶや顔の一部あるいはピアスやイヤリングが、携帯端末機器の前面に設けられているタッチパネルに接触して、これによりタッチパネルから入力操作がなされたとみなされる誤動作を防止することが可能である。さらには、誤動作に伴なう消費電力の増大を抑制することも可能である。
【００４８】
また、環境音と通話音との音声信号の入力値の差が所定の閾値未満である、すなわち、利用者が携帯端末機器１の通話用スピーカと距離を離して利用していると判断された場合には、ＣＰＵ１００のタッチパネルの認識率は初期状態とされることにより、通話中においても、携帯端末機器として各種の機能を利用可能として、利用者の携帯端末機器の利便性を向上させることが可能である。
【００４９】
特に本発明は、通話用マイクと環境音取得用マイクの音声信号の入力値の差に基づいて相手と通話している状態における利用者の利用状態を把握して、タッチパネルの認識率を変更する簡易な方式である。そして、環境音取得用マイクは、一般的に種々の通信機能を有する携帯端末機器に搭載されており、コストの増加を抑制することが可能である。また、環境音を取得可能な位置であればいずれの位置にでもレイアウト可能であるためレイアウトの制約が問題にはならない。また、従来技術の如くカメラを用いた構成の場合には、常にカメラを駆動するための余分な消費電力を要することになるが、本願方式は、特別な駆動部を必要とせず消費電力の面においても有用である。
【００５０】
（実施の形態２）
上記の実施の形態１においては、通話時において、定常的に通話用マイクと環境音取得用マイクの音声信号の入力値の差を検出して、利用者の利用状態を把握して、タッチパネルの認識率を調整する方式について説明した。
【００５１】
本実施の形態２においては、所定期間毎にタッチパネルの認識率を調整する方式について説明する。
【００５２】
図５は、本発明の実施の形態２に従う通話時における、タッチパネルの認識率を調整するフロー図である。
【００５３】
図５を参照して、上述したようにＣＰＵ１００は、入力部１０５からの入力を受けて（ステップＳ１０）、通話状態であるかどうかを判断する（ステップＳ１１）。具体的には、上述した発信釦１６が利用者によって押下されたかどうかを判断する。
【００５４】
そして、ＣＰＵ１００は、通話状態と判断された場合には、次にタイマをスタートさせる（ステップＳ１２）。なお、ＣＰＵ１００において、タイマ機能および後述するカウンタ機能が設けられているものとする。
【００５５】
次に、環境音の取得を開始するように指示する（ステップＳ１３）。具体的には、上述した環境音取得用マイク２５を用いて環境音を取得する。
【００５６】
そして、次に、ＣＰＵ１００は、通話音の取得を開始するように指示する（ステップＳ１４）。具体的には、上述した通話用マイク１５を用いて利用者の通話音を取得する。
【００５７】
そして、次に、ＣＰＵ１００は、環境音取得用マイク２５にて取得された環境音に従う音声信号と、通話用マイク１５にて取得された通話音に従う音声信号との入力値を算出する（ステップＳ１５）。
【００５８】
次に、ＣＰＵ１００は、算出結果に基づいて環境音と通話音との音声信号の入力値の差が所定の閾値以上であるかどうかを判断する（ステップＳ１６）。
【００５９】
ステップＳ１６において、算出結果に基づいて環境音と通話音との音声信号の入力値の差が所定の閾値以上であると判断された場合には、ＣＰＵ１００は、カウンタ機能により、カウンタ値をカウントアップする（ステップＳ１７）。そして、ステップＳ１８に進む。
【００６０】
一方、ステップＳ１６において、算出結果に基づいて環境音と通話音との音声信号の入力値の差が所定の閾値未満であると判断された場合には、ＣＰＵ１００は、カウントアップせずにステップＳ１８に進む。
【００６１】
ステップＳ１８において、ＣＰＵ１００は、タイマ機能により所定時間経過したかどうかを判断する（ステップＳ１８）。
【００６２】
ステップＳ１８において、所定時間経過したと判断されるまで、上述のステップＳ１３〜Ｓ１７の処理を繰り返す。そして、所定時間経過したと判断された場合には、次に、ステップＳ１９に進む。
【００６３】
ステップＳ１９において、ＣＰＵ１００は、カウンタのカウンタ値が閾値以上であるかどうかを判断する。
【００６４】
ステップＳ１９において、ＣＰＵ１００は、カウンタのカウンタ値が閾値以上であると判断した場合には、利用者は携帯端末機器１の通話用スピーカに近接して利用している可能性が高いと判断されるためタッチパネルの認識率を変更する（ステップＳ２０）。
【００６５】
一方、ステップＳ１９において、ＣＰＵ１００は、カウンタのカウンタ値が閾値未満であると判断した場合には、利用者が携帯端末機器１の通話用スピーカと距離を離して利用している可能性が高いためタッチパネルの認識率を初期化する。すなわち、タッチパネルの認識率を初期状態に戻す。
【００６６】
そして、通話状態が切断されたかどうかを判断し（ステップＳ２２）、通話状態が切断されていない場合には、ステップＳ２３に進み、タイマをリセットして再びステップＳ１２に進み、上述の処理を繰り返す。したがって、所定時間毎にステップＳ１９において、判断しタッチパネルの認識率を調整している。
【００６７】
一方、ステップＳ２２において、通話状態が切断されたと判断された場合には、次に、タイマとタッチパネルの認識率を初期化する（ステップＳ２５）。すなわち、タイマをリセットするとともにタッチパネルの認識率を初期状態に戻し、そして、待ち受け状態に設定される（ステップＳ２５）。
【００６８】
本発明の実施の形態２に従う方式においては、通話状態の際に所定時間毎に利用者の利用状態を把握してタッチパネルの認識率を調整している。これにより、たとえば利用者と相手側との通信において、一時的に通話用マイク１７に利用者の音声が入らないような状況の場合においても、タッチパネルの認識率が変更されて、タッチパネルにより誤認識されるような状況を防止することができる。
【００６９】
したがって、本実施の形態２に従う方式より、本発明は、利用者の利用状態をより確実に把握してタッチパネルの認識率を変更することが可能である。
【００７０】
（実施の形態３）
本実施の形態３においては、さらに、利用者の利用状態をより確実に把握する方式について説明する。
【００７１】
図６は、本発明の実施の形態３に従う携帯端末機器１＃の外観構成図である。
図６を参照して、ここでは、携帯端末機器１のおもて側の構成が示されている。
【００７２】
図１の携帯端末機器１の構成と比較して、赤外光発光部２１と、赤外光受光部２２とをさらに設けた点が異なる。その他の点については、同様であるのでその詳細な説明は繰り返さない。
【００７３】
赤外光発光部２１は、指示に応答して赤外光を発光し、赤外光受光部２２は、赤外光発光部２１から発光した赤外光が反射した場合にその反射光を受光するために設けられている。具体的には、利用者が携帯端末機器１＃の通話用スピーカに耳を当てて、通話用マイクを用いて相手側と通信するような場合に、赤外光発光部２１から発光した赤外光が利用者の顔に反射して、その反射光を受光可能な位置に赤外光受光部２２が配置されているものとする。
【００７４】
図７は、本発明の実施の形態３に従う携帯端末機器１＃の概略ブロック構成図である。
図７を参照して、本発明の実施の形態３に従う携帯端末機器１＃は、図２の携帯端末機器１の構成と比較して、赤外光発光部２１および赤外光受光部２２をさらに設けた点が異なる。その他の点については、図２で説明したのと同様であるのでその詳細な説明は繰り返さない。赤外光発光部２１および赤外光受光部２２は、ともにＣＰＵ１００の指示に応答して動作する。
【００７５】
図８は、本発明の実施の形態３に従う通話時における、タッチパネルの認識率を調整するフロー図の一部を説明する図である。
【００７６】
図８を参照して、ここでは、図３のフロー図の一部を変更した場合が示されている。
具体的には、図３のステップＳ４において、環境音と通話音との音声信号の入力値の差を算出する（ステップＳ４）。そして、次に環境音と通話音の音声信号の入力値の差が閾値以上であるかどうかを判断する（ステップＳ５）。
【００７７】
図３においては、ステップＳ５において、環境音と通話音の音声信号の入力値の差が閾値以上であれば、タッチパネルの認識率を変更することについて説明したが本実施の形態３においては、ステップＳ５において、環境音と通話音の音声信号の入力値の差が閾値以上であれば、次に、赤外線の発光を開始する（ステップＳ３０）。なお、ステップＳ５において、環境音と通話音の音声信号の入力値の差が閾値未満であればステップＳ１０に進む。
【００７８】
そして、赤外線の受光を開始する（ステップＳ３１）。
そして、赤外光受光部２２において、赤外線を受光できたかどうかを判定する（ステップＳ３２）。ステップＳ３２において、赤外線を受光できた場合には、タッチパネルの認識率を変更する（ステップＳ６）。
【００７９】
一方、赤外光受光部２２において、赤外線を受光できなかった場合には、タッチパネルの認識率を初期化する（ステップＳ１０）。
【００８０】
そして、通話状態が切断されたかどうかを判断し（ステップＳ７）、切断されていない場合には、上述したようにステップＳ２に戻って同様の処理を繰り返す。
【００８１】
一方、通話状態が切断された場合には、タッチパネルの認識率を初期化する（ステップＳ８）。そして、赤外線の発光を終了し（ステップＳ３３）、さらに赤外線の受光を終了する（ステップＳ３４）。そして、待ち受け状態に設定される（ステップ３５）。
【００８２】
本実施の形態３においては、実施の形態１の方式と異なり、環境音と通話音の音声信号の入力値の差が閾値以上である場合に、さらに赤外線を赤外線受光部２２で受光できた場合にタッチパネルの認識率を変更する。具体的には、タッチパネルの認識率を低下させるあるいはタッチパネルの認識率を０にして無効にする。
【００８３】
したがって、両方の条件を満たしている場合に、タッチパネルの認識率を変更することが可能である。
【００８４】
たとえば、実施の形態１においては、環境音と通話音の音声信号の入力値の差が閾値以上であれば、利用者が携帯端末機器に近接して利用している可能性が高いと判断して、タッチパネルの認識率を変更する方式について説明したが、利用者の携帯端末機器の利用態様によっては、利用者が携帯端末機器の一部分である通話用マイクにのみ近接している場合も想定される。
【００８５】
かかる場合に、赤外線発光部２１および赤外線受信部２２を用いて携帯端末機器全体に近接しているかどうかを判断することにより、利用者の利用状態をより確実に把握してタッチパネルの認識率を変更することが可能である。
【００８６】
なお、上記においては、実施の形態１に従う図３のフロー図を用いて、赤外線発光部２１および赤外線受光部２２をさらに利用した方式について説明したが、図３のフロー図に限られず、たとえば実施の形態２に従う図５のフロー図に適用することも当然に可能である。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８８】
【図１】本発明の実施の形態１に従う携帯端末機器１の外観構成図である。
【図２】本発明の実施の形態１に従う携帯端末機器１の概略ブロック構成図である。
【図３】本発明の実施の形態１に従う通話時における、タッチパネルの認識率を調整するフロー図である。
【図４】キー操作中と耳に当てて通話中のときにおけるマイクに入力される入力値の差を説明する図である。
【図５】本発明の実施の形態２に従う通話時における、タッチパネルの認識率を調整するフロー図である。
【図６】本発明の実施の形態３に従う携帯端末機器１＃の外観構成図である。
【図７】本発明の実施の形態３に従う携帯端末機器１＃の概略ブロック構成図である。
【図８】本発明の実施の形態３に従う通話時における、タッチパネルの認識率を調整するフロー図の一部を説明する図である。
【符号の説明】
【００８９】
１，１＃  携帯端末機器、１０  筐体、１１  通話用スピーカ、１５  通話用マイク、１６  発信釦、１７  通話切断釦、２０  タッチパネル、２１  赤外光発光部、２２  赤外光受光部、２５  環境音取得用マイク、１００  ＣＰＵ、１０５  入力部、１１０  表示部、１１５  スピーカ、１２０  メモリ、１３５  音声入力部、１４０  通信部、１４１  アンテナ。
【図１】
2008141688.tif 000003
【図２】
2008141688.tif 000004
【図３】
2008141688.tif 000005
【図４】
2008141688.tif 000006
【図５】
2008141688.tif 000007
【図６】
2008141688.tif 000008
【図７】
2008141688.tif 000009
【図８】
2008141688.tif 000010